(57)【要約】【課題】  商用電源の非常時に使用する非常用発電機を運転させ、負荷への電力供給を商用電源から非常用発電機に無瞬断で切り換え、商用電源のピークカットをすることのできる電源切換システムを提供することにある。【解決手段】  商用電源１の停電時に負荷１０に交流電力を供給する非常用発電機６が設けられた電力系統において、商用電源１のピーク負荷時に、非常用発電機６を起動し、非常用発電機６の出力電圧の確立後、商用電源１と非常用発電機６を同期させ、無瞬断切換装置を用いて、負荷１０への電力供給を商用電源１から非常用発電機６に切り換えることにより、商用電源１のピークカットをする電源切換システム。【選択図】      図１
2008061351.tif 000002
【特許請求の範囲】
【請求項１】
商用電源から負荷に交流電力を供給し、前記商用電源の非常時に前記負荷に交流電力を供給する非常用発電機が設けられた電力系統において、
前記商用電源から出力された電力と前記非常用発電機から出力された電力とを無瞬断で切り換え、前記負荷へ電力を供給する無瞬断切換装置と、
前記非常用発電機と前記無瞬断切換装置との間の経路に設けられた非常用発電機遮断器と、
前記商用電源から供給される前記負荷を含む負荷がピーク負荷であると判断するピーク負荷判断手段と、
前記ピーク負荷判断手段によりピーク負荷であると判断された場合、前記非常用発電機を起動する起動手段と、
前記起動手段により起動した前記非常用発電機から出力された電圧の確立を判断する電圧確立判断手段と、
前記電圧確立判断手段による電圧の確立の判断により、前記非常用発電機から出力された電圧を前記商用電源から出力された電圧に同期させる同期手段と、
前記同期手段により同期したことを検出する同期検出手段と、
前記同期検出手段の検出により、前記非常用発電機遮断器を投入するための投入指令を出力する前記非常用発電機遮断器投入手段と、
前記非常用発電機遮断器投入手段による前記非常用発電機遮断器の投入後に、前記無瞬断切換装置に切り換えをするための切換指令を出力する切換指令出力手段と
を有することを特徴とする電源切換システム。
【請求項２】
商用電源から出力された電気量を計測する電気量計測手段と、
ピーク負荷判断手段は、前記電気量計測手段による計測量が予め設定された電気量を超えたときに、ピーク負荷であると判断すること
を特徴とする請求項１に記載の電源切換システム。
【請求項３】
ピーク負荷判断手段は、時刻が予め設定されたピーク負荷となる時間帯の開始時刻となったときに、ピーク負荷であると判断すること
を特徴とする請求項１に記載の電源切換システム。
【請求項４】
前記電圧確立判断手段は、前記非常用発電機から出力される電圧確立したことを通知する信号受信することにより判断すること
を特徴とする請求項１に記載の電源切換システム。
【請求項５】
前記電圧確立判断手段は、前記非常用発電機から出力された電圧を検出して判断すること
を特徴とする請求項１に記載の電源切換システム。
【請求項６】
前記電圧確立判断手段は、前記起動手段による起動から経た時間に基いて判断すること
を特徴とする請求項１に記載の電源切換システム。
【請求項７】
前記切換指令出力手段は、前記非常用発電機遮断器の投入後を、前記非常用発電機遮断器から出力される投入を示す信号を受信した後とすること
を特徴とする請求項１に記載の電源切換システム。
【請求項８】
前記切換指令出力手段は、前記非常用発電機遮断器の投入後を、前記非常用発電機遮断器投入手段から出力される投入信号の出力から経た時間に基いて判断すること
を特徴とする請求項１に記載の電源切換システム。
【発明の詳細な説明】
【技術分野】
【０００１】
本発明は、非常用発電機と商用電源とを無瞬断で切り換える電源切換システムに関する。
【背景技術】
【０００２】
一般的に、複数の電源を並列運転させることで、電源に掛かる負荷を軽減することが知られている（例えば、特許文献１参照）。一方、非常用発電機を用いて、商用電源の非常時に、負荷に電力を供給することが行われている。
【特許文献１】特開２００３−３３９１１８号公報
【発明の開示】
【発明が解決しようとする課題】
【０００３】
しかしながら、非常用発電機は、商用電源と系統連係できない規則となっている。このため、非常用発電機と商用電源を同時並列運転（連係運転）できないようにインターロックを設けることが義務付けられている。例えば、商用電源の停電時に、非常用発電機から電力を供給するには、商用電源からの連絡遮断器を開放した後、非常用発電機の連絡遮断器を投入して、負荷に電力を供給する。このようにして、商用電源の非常時には、常時は商用電源より電源供給されている消火栓ポンプなどの重要負荷に電源を供給する。
【０００４】
従って、上述のような電力系統の構成においては、商用電源から非常用発電機に切り換えて運転する場合には、停電時間ができる。このため、昼間のピーク負荷時などに、非常用電源を用いて商用電源の負荷を軽減することはできない。また、ピークカットの機能を持たせるには、商用電源と系統連係する必要があり、非常用発電機を、常用発電が可能な機能を有する発電設備とし、かつ受電点に系統連系保護リレー装置の設置が義務付けられている。これらの機能を追加し、装置を設けることは、多大な労力を要する。
【０００５】
そこで、本発明の目的は、商用電源の非常時に使用する非常用発電機を運転させ、負荷への電力供給を商用電源から非常用発電機に無瞬断で切り換え、商用電源のピークカットをすることのできる電源切換システムを提供することにある。
【課題を解決するための手段】
【０００６】
本発明の観点に従った電源切換システムは、商用電源から負荷に交流電力を供給し、前記商用電源の非常時に前記負荷に交流電力を供給する非常用発電機が設けられた電力系統において、前記商用電源から出力された電力と前記非常用発電機から出力された電力とを無瞬断で切り換え、前記負荷へ電力を供給する無瞬断切換装置と、前記非常用発電機と前記無瞬断切換装置との間の経路に設けられた非常用発電機遮断器と、前記商用電源から供給される前記負荷を含む負荷がピーク負荷であると判断するピーク負荷判断手段と、前記ピーク負荷判断手段によりピーク負荷であると判断された場合、前記非常用発電機を起動する起動手段と、前記起動手段により起動した前記非常用発電機から出力された電圧の確立を判断する電圧確立判断手段と、前記電圧確立判断手段による電圧の確立の判断により、前記非常用発電機から出力された電圧を前記商用電源から出力された電圧に同期させる同期手段と、前記同期手段により同期したことを検出する同期検出手段と、前記同期検出手段の検出により、前記非常用発電機遮断器を投入するための投入指令を出力する前記非常用発電機遮断器投入手段と、前記非常用発電機遮断器投入手段による前記非常用発電機遮断器の投入後に、前記無瞬断切換装置に切り換えをするための切換指令を出力する切換指令出力手段と備えた構成である。
【発明の効果】
【０００７】
本発明によれば、商用電源の非常時に使用する非常用発電機を運転させ、負荷への電力供給を商用電源から非常用発電機に無瞬断で切り換え、商用電源のピークカットをすることのできる電源切換システムを提供することができる。
【発明を実施するための最良の形態】
【０００８】
以下図面を参照して、本発明の実施形態を説明する。
【０００９】
（第１の実施形態）
図１は、本発明の第１の実施形態に係る電源切換システムの適用された電力系統を示すブロック図である。なお、以降において、同一部分には同一符号を付してその詳しい説明を省略し、異なる部分について主に述べる。以降の実施形態も同様にして重複した説明を省略する。
【００１０】
本電源切換システムの適用された電力系統の構成は、商用電源１が受電変圧器２及び受電二次遮断器３を順次に介して、母線Ｂ１と接続され、母線Ｂ１に繋がっているフィーダ線ＦＥ１に負荷１０Ａが接続され、非常用発電機６が非常用発電機遮断器５を介して母線Ｂ２と接続され、母線Ｂ１に母線連絡遮断器４を介して母線Ｂ２が接続され、母線Ｂ２に繋がっているフィーダ線ＦＥ２が、フィーダ遮断器７を介して無瞬断切換装置（以下、「ＳＴＳ(STATIC TRANSFER SWITCH SYSTEM)」という。）９の２つの入力のうち１つの入力に接続され、非常用発電機６からの送電線が、非常用発電機遮断器８を介してＳＴＳ９のもう一方の入力に接続され、ＳＴＳ９に負荷１０が接続されている。本電力系統には、計器用変圧器ＶＴ１及び変流器ＣＴ１が母線Ｂ２に設けられている。計器用変圧器ＶＴ２が非常用発電機６の出力側である非常用発電機母線１６に設けられ、電源切換装置２０が設けられている。
【００１１】
商用電源１は、交流電力を出力する。商用電源１は、通常時では、負荷１０，１０Ａに電力を供給する。
【００１２】
受電変圧器２は、一次側に商用電源１が、二次側に母線Ｂ１が接続されている。受電変圧器２は、商用電源１（一次側）から出力された電力を降圧して、母線Ｂ１（二次側）に供給する。
【００１３】
受電二次遮断器３は、受電変圧器２と母線Ｂ１との間の接続経路を開閉する。受電二次遮断器３は、通常時は投入されている。
【００１４】
母線連絡遮断器４は、母線Ｂ１と母線Ｂ２との接続経路を開閉する。母線連絡遮断器４は、通常時は投入され、商用電源１の停電時に開放される。母線連絡遮断器４は、投入及び開放すると、投入及び開放を示す信号を電源切換装置２０に出力する。
【００１５】
非常用発電機６は、商用電源１の停電時などの非常時に、負荷１０に電力を供給するための発電機である。非常用発電機６は、電源切換装置２０からの起動指令に応じて、商用電源１の停電時、及び昼間の電力消費の大きい時間帯（ピーク負荷）に起動される。非常用発電機６は、起動し、電圧が確立すると電圧確立信号を電源切換装置２０に出力する。非常用発電機６は、外部からの同期信号に応じて、商用電源１から出力される電力と同期する。
【００１６】
非常用発電機遮断器５は、通常時は開放されている。非常用発電機遮断器５は、商用電源１の停電時に投入される。非常用発電機遮断器５が投入されると、非常用発電機６の出力により、母線Ｂ２が充電される。
【００１７】
フィーダ遮断器７は、フィーダ線ＦＥ２のＳＴＳ９への経路を開閉する。フィーダ遮断器７は、通常時は投入されている。
【００１８】
非常用発電機遮断器８は、非常用発電機６とＳＴＳ９との接続経路の開閉をする。非常用発電機遮断器８は、電源切換装置２０からの投入指令に応じて、昼間のピーク負荷時に投入される。非常用発電機遮断器８は、投入及び開放すると、投入及び開放を示す信号を電源切換装置２０に出力する。
【００１９】
ＳＴＳ９は、母線Ｂ２からフィーダ遮断器７を介して供給される電力と非常用発電機６から非常用発電機遮断器８を介して供給される電力との切り換えを無瞬断で行う。ＳＴＳ９は、切り換えにより選択された電力を負荷１０に供給する。ＳＴＳ９は、通常時は商用電源１（母線Ｂ２）から電力が負荷１０に供給されるように選択されている。
【００２０】
計器用変圧器ＶＴ１は、母線Ｂ２の電圧を検出するための機器である。
【００２１】
計器用変圧器ＶＴ２は、非常用発電機６の出力電圧（非常用発電機母線１６）を検出するための機器である。
【００２２】
変流器ＣＴ１は、母線Ｂ２に流れる電流を検出するための機器である。
【００２３】
電源切換装置２０は、商用電源１の停電時又はピーク負荷時に、負荷１０へ供給する電力を、商用電源１から非常用発電機６に切り換えるための装置である。
【００２４】
電源切換装置２０は、制御部２１と、電力検出装置２２と、不足電圧リレー（２７）２３と、と同期検定装置（以下、「ＡＳＤ」という。）２４とからなる。
【００２５】
制御部２１は、商用電源１の停電時又はピーク負荷時に、商用電源１と非常用発電機６との切り換えを行うための全般的な制御を行う部分である。制御部２１は、電力検出装置２２、不足電圧リレー２３及びＡＳＤ２４の制御及び管理を行う。制御部２１は、電力検出装置２２、不足電圧リレー２３及びＡＳＤ２４と情報（信号）の送受信を行う。具体的には、制御部２１は、商用電源１の停電時又はピーク負荷時を判断する。制御部２１は、非常用発電機６を起動させる。制御部２１は、母線連絡遮断器４、非常用発電機遮断器５及び非常用発電機遮断器８の投入又は開放をするための指令を出力する。制御部２１は、母線連絡遮断器４、非常用発電機遮断器５及び非常用発電機遮断器８の状態（投入及び開放）を監視する。制御部２１は、主にコンピュータにより構成されている。
【００２６】
電力検出装置２２は、母線Ｂ２の電力を計測する。電力検出装置２２は、変流器ＣＴ１及び計測用変圧器ＶＴ１により、それぞれ母線Ｂ２の電流及び電圧を検出する。電力検出装置２２は、母線Ｂ２の電流及び電圧に基いて、母線Ｂ２の電力を算出する。電力検出装置２２は、算出した電力が予め設定されている一定値以上か否かを判定する。電力検出装置２２は、算出した電力が一定値以上であると判定した場合、ピーク負荷であると判断する。電力検出装置２２は、ピーク負荷であると判断した場合（算出した電力が一定値以上であると判定した場合）、制御部２１に信号を出力する。
【００２７】
不足電圧リレー２３は、計測用変圧器ＶＴ１により検出した母線Ｂ２の電圧が予め設定されている一定値（整定値）以下か否か（不足電圧か否か）を判定する。不足電圧リレー２３は、一定時限のタイマーが設定されている。不足電圧リレー２３は、母線Ｂ２の電圧が不足電圧である状態がタイマーに設定された一定時限以上継続した場合、商用電源１が停電であると判断する。不足電圧リレー２３は、停電であると判断した場合、制御部２１に信号を出力する。
【００２８】
ＡＳＤ２４は、商用電源１からの電力と非常用発電機６からの電力とを同期させる。具体的には、ＡＳＤ２４は、計測用変圧器ＶＴ１，ＶＴ２からそれぞれ母線Ｂ２の電圧（商用電源１の出力電圧）及び非常用発電機母線１６の電圧（非常用発電機６の出力電圧）を検出する。ＡＳＤ２４は、母線Ｂ２の電圧と非常用発電機母線１６の電圧とを比較し、同期しているか否かを判定する。ＡＳＤ２４は、母線Ｂ２の電圧と非常用発電機母線１６の電圧とを同期させるために、非常用発電機６に同期信号を出力する。ＡＳＤ２４は、母線Ｂ２の電圧と非常用発電機母線１６の電圧とが同期したことを検出すると、非常用発電機遮断器８を投入するための信号を制御部２１に送信する。即ち、ＡＳＤ２４は、非常用発電機６を同期させるための機能と、非常用発電機６の出力電圧と商用電源１からの電圧とが同期したことを検出する機能を有している。
【００２９】
図２は、第１の実施形態に係る電源切換装置２０の商用電源１の停電時における動作を示す流れ図である。
【００３０】
不足電圧リレー２３は、商用電源１が停電すると、不足電圧を検出する（処理手順Ｓ２０１）。不足電圧リレー２３は、不足電圧の継続時間をタイマーＴ１でカウントする。
【００３１】
制御部２１は、タイマーＴ１でのカウントが一定時限以上になった場合、非常用発電機６を起動させる（処理手順Ｓ２０２）。また、制御部２１は、タイマーＴ１でのカウントが一定時限以上になった場合、母線連絡遮断機４に開放指令を出力する（処理手順Ｓ２０４）。
【００３２】
制御部２１は、非常用発電機６の出力電圧が確立すると、非常用発電機６から電圧確立信号を受信する（処理手順Ｓ２０３）。制御部２１は、母線連絡遮断機４が開放されると、開放完了信号を受信する（処理手順Ｓ２０５）。
【００３３】
制御部２１は、非常用発電機６から電圧確立信号を受信し、かつ母線連絡遮断機４から開放完了信号を受信すると（ＡＮＤ条件Ａ１）、非常用発電機遮断器５に投入指令を出力する（処理手順Ｓ２０６）。
【００３４】
電源切換装置２０は、処理手順Ｓ２０１〜Ｓ２０６を実行することにより、商用電源１の停電時に、非常用発電機６の電力を負荷１０に供給する。
【００３５】
図３は、第１の実施形態に係る電源切換装置２０のピーク負荷時における動作を示す流れ図である。
【００３６】
電力検出装置２２は、ピーク負荷を検出する（処理手順Ｓ３０１）。
【００３７】
制御部２１は、電力検出装置２２からのピーク負荷の検出により（ピーク負荷検出の信号の受信）商用電源１がピーク負荷であると判断し、非常用発電機６を起動させる（処理手順Ｓ３０２）。
【００３８】
制御部２１は、非常用発電機６の出力電圧が確立すると、非常用発電機６から電圧確立信号を受信する（処理手順Ｓ３０３）。
【００３９】
ＡＳＤ２４は、制御部２１の電圧確立信号の受信により、商用電源１の出力電圧と非常用発電機６の出力電圧とを同期させる（処理手順Ｓ３０４）。
【００４０】
制御部２１は、ＡＳＤ２４からの同期の検出（同期検出信号の受信）に応じて、非常用発電機遮断器８に投入指令を出力する（処理手順Ｓ３０５）。
【００４１】
制御部２１は、非常用発電機遮断器８から投入を示す信号を受信すると（処理手順Ｓ３０６）、ＳＴＳ９に切換指令を出力する（処理手順Ｓ３０７）。
【００４２】
電源切換装置２０は、処理手順Ｓ３０１〜Ｓ３０７を実行することにより、ピーク負荷時に、商用電源１の電力を負荷１０Ａに供給したままで、非常用発電機６の電力を負荷１０に供給する。
【００４３】
図４は、第１の実施形態に係るＳＴＳ９の構成を示す回路図である。
【００４４】
ＳＴＳ９は、フィーダ遮断器７からの電力が入力する遮断器９１と、遮断器９１から入力した電力を負荷１０に供給する経路に設けられた半導体スイッチ９２と、非常用発電機遮断器８からの電力が入力する遮断器９３と、遮断器９３から入力した電力を負荷１０に供給する経路に設けられた半導体スイッチ９４と、負荷１０に供給するための電力として、フィーダ遮断器７からの電力と非常用発電機遮断器８からの電力とのいずれか一方を選択するための切換スイッチ９５と、保守用遮断器９６，９７，９８とからなる。
【００４５】
遮断器９１は、商用電源１を通電する時にＯＮとする遮断器である。
【００４６】
遮断器９３は、非常用発電機６の電源を通電するときにＯＮとする遮断器である。
【００４７】
半導体スイッチ９２，９４は、無瞬断又は数ｍＳで切り換えを行うスイッチである。半導体スイッチ９２は、商用電源１の通電時はＯＮである。半導体スイッチ９４は、非常用発電機６の電源の通電時はＯＮである。
【００４８】
切換スイッチ９５は、連続的に通電することのできる電気的な耐量を有するスイッチである。
【００４９】
保守用遮断器９６，９７，９８は、ＳＴＳ９を保守する際に使用する遮断器である。運用時は、常にＯＮである。
【００５０】
図５を参照して、ＳＴＳ９によるフィーダ遮断器７側の入力電力から非常用発電機遮断器８側の入力電力への切り換えについて説明する。ここで、遮断器９１,９３及び保守用遮断器９６，９７，９８は、常時ＯＮとする。
【００５１】
ＳＴＳ９の初期状態は、次の通りである。切換スイッチ９５は、フィーダ遮断機７からの入力電力が選択されている。以下、切換スイッチ９５のこの状態を「常用」とし、非常用発電機遮断器８が選択されている状態を「非常用」とする。半導体スイッチ９２は、ＯＮである。半導体スイッチ９４は、ＯＦＦである。
【００５２】
時間ｔ１に、ＳＴＳ９は、電源切換装置２０から切換指令を受信すると、半導体スイッチ９４をＯＮにする。
【００５３】
時間ｔ２から時間ｔ３の間に、ＳＴＳ９は、「常用」から「非常用」に切り換える。
【００５４】
時間ｔ４に、ＳＴＳ９は、半導体スイッチ９２をＯＦＦする。
【００５５】
以上のようにして、ＳＴＳ９は、負荷１０への電力供給を商用電源１から非常用発電機６へ無瞬断で切り換えることができる。
【００５６】
図６は、第１の実施形態に係る電源切換システムにおける商用電源１の１日の時間帯における電力負荷を説明するためのグラフ図である。曲線ｆ１は、１日の時間帯における負荷１０（母線Ｂ２に掛かる電力負荷）と負荷１０Ａ（母線Ｂ１に掛かる電力負荷）との和による需要電力負荷の推移を表している。曲線ｆ２は、昼間のピーク負荷時における負荷１０Ａによる需要電力負荷の推移を表している。
【００５７】
時間Ｔａから時間Ｔｂの間の時間帯は、昼間のピーク負荷時である。
【００５８】
時間Ｔａまでは、商用電源１は、負荷１０及び負荷１０Ａに電力供給をする。即ち、商用電源１の電力供給量は、曲線ｆ１となる。
【００５９】
時間Ｔａになると、全体の需要電力負荷（負荷１０＋負荷１０Ａ）は、電力量Ｗａを超える。このとき、電源切換装置２０は、負荷１０Ａへ供給する電源を切り換えるための動作を行う。これにより、商用電源１は、負荷１０Ａのみに電力供給をする。また、非常用発電機６は、負荷１０に電力供給をする。従って、昼間のピーク負荷時における商用電源１の電力供給量は、曲線ｆ２となる。
【００６０】
時間Ｔｂになると、昼間のピーク負荷の時間帯は終了する。そこで、電源切換装置２０は、負荷１０への電力供給を非常用発電機６から商用電源１に戻す。
【００６１】
以上のようにして、商用電源１は、昼間のピーク負荷の時間帯における負荷１０への電力供給量Ｄ１Ｗｈ分の負荷を軽減することができる。
【００６２】
本実施形態によれば、負荷１０は夜間等の低負荷時は、商用電源１から電源供給され、昼間の電力ピーク時は、非常用発電機６で電力供給される。これにより、ピーク時に、商用電源１からの電力供給量を低減させることができ、即ちピークカットの状態にすることができる。さらに、万が一非常用発電機６が停止しても、その停電を検出し元の商用電源１に無瞬断で切り換えができる。したがって、ピークカットの状態ではない状態（商用電源１により負荷１０へ電力供給を行う状態）の系統連系と同等以上の電源の信頼性を得ることができる。
【００６３】
また、電力負荷のピークカットのために、経済産業省の資源エネルギー庁編の系統連系ガイドラインにより、系統連系するために義務付けられている、発電電圧の異常の保護、系統短絡保護、系統地絡保護、単独運転防止、自動負荷制御・発電抑制、線路無電圧確認装置、常時電圧変動対策および短絡容量対策に関する系統保護リレー装置の設置を必要としないため、これら系統保護リレー装置のコストを低減することができる。これに伴い、系統保護リレーとその整定について電力会社との技術的協議が不要となるため、系統連系を実現するためにかかっていた時間と労力を省くことが可能となり、専門知識が不要なため、一般人でも本電源切換システムの導入をし易くすることができる。
【００６４】
（第２の実施形態）
本実施形態は、第１の実施形態の変形例である。
【００６５】
本電源切換システムは、第１の実施形態において、ピーク負荷と判断するために、電力検出装置２２による検出方法に代えて、電源切換装置２０（コンピュータ）に有する時計機能の時刻により判断する方法を採り入れている。
【００６６】
電源切換装置２０は、予め定めた時間帯（例えば、９時〜１７時）がピーク負荷の時間帯として設定されている。電源切換装置２０は、時計機能よる時刻が予め定めた時間帯の開始時刻となったときに、商用電源１がピーク負荷であると判断する。
【００６７】
本実施形態によれば、電力検出装置２２を用いずに、ピーク負荷時を判断することができ、第１の実施形態と同様の作用効果を得ることができる。
【００６８】
（第３の実施形態）
図７は、第３の実施形態に係る電源切換システムの適用された電力系統を示すブロック図である。
【００６９】
本電源切換システムは、第１の実施形態において、電源切換装置２０を電源切換装置２０Ａに代え、電源切換装置２０の内部に設けられたＡＳＤ２４の代わりに、電源切換装置２０Ａの外部にＡＳＤ２４Ａを設けている。
【００７０】
電源切換装置２０Ａは、第１の実施形態に係る電源切換装置２０の内部に設けられたＡＳＤ２４を取り除いた点以外は同等の機能を有している。
【００７１】
ＡＳＤ２４Ａは、母線Ｂ２の電圧と非常用発電機母線１６との電圧が同期したことを検出すると、非常用発電機遮断器８を投入するための指令を非常用発電機遮断器８に出力する。その他の点は、第１の実施形態に係るＡＳＤ２４と同様である。
【００７２】
本実施形態によれば、既存のＡＳＤ２４Ａと組み合せることで、第１の実施形態と同様の作用効果を得ることのできる電源切換システムを構築することができる。
【００７３】
なお、各実施形態において、制御部２１を構成するコンピュータは、演算部（例えば、ＣＰＵ（central processing unit）・チップセットなどの演算素子、ファームウェア、プログラム（ソフトウェア）など）と記憶部（例えば、ハードディスク、メモリ、取り外し可能な記憶媒体など）とを有していればよい。また、１台のコンピュータ（例えばパソコン）に限らず、コンピュータシステムであってもよい。即ち、２台以上のコンピュータ又は任意の台数の記憶装置（例えばストレージ）とを情報の送受信可能にされたネットワーク化したものでもよい。コンピュータは、適用される環境に応じて、適宜構成を変更できる。
【００７４】
各実施形態において、電力検出装置２２及び不足電圧リレー２３は、電源切換装置２０に内蔵させたが、外部に設けた構成としてもよい。これにより、本電源切換システムは、電力系統に合わせて、適宜構成を変更することができる。また、既に電力系統に設けられている既存の装置を用いて、本電源切換システムを構築することができる。
【００７５】
各実施形態において、電源切換装置２０，２０Ａは、非常用発電機６の出力電圧の確立は、非常用発電機６から出力される電圧確立信号を受信することにより判断したが、非常用発電機６への起動信号から経た時間に基いて判断してもよい。
【００７６】
各実施形態において、各種遮断器（特に、非常用発電機遮断器８）の投入は、それぞれの遮断器から出力される投入を示す信号を受信することにより判断したが、各種遮断器への投入指令から経た時間に基いて判断してもよい。
【００７７】
第１の実施形態では、ピーク負荷の時間帯を判断するために、電力検出装置２２による電力値に基いて判断したが、変流器ＣＴ１による電流値に基いて判断してもよい。これにより、簡易な構成とすることができる。
【００７８】
第１の実施形態では、ピーク負荷時に、負荷１０への電力供給を商用電源１から非常用発電機６に切り換える場合を説明したが、ピーク負荷時の終了時に、非常用発電機６から商用電源１に切り換えることもできる。具体的には、ＡＳＤ２４（２４Ａ）により計測用変圧器ＶＴ１，ＶＴ２の計測値に基いて、商用電源１及び非常用発電機６の同期検定をし、ＳＴＳ９を商用電源１側に切り換える。例えば、電力検出装置２２による電力値がある一定値を下回ったときに、又は、予め設定されたピーク負荷の時間帯の終了時刻になったときに、ＳＴＳ９に切換指令を出力する。これにより、ピーク負荷の時間帯の終了時に、非常用発電機６から商用電源１に自動的に切り換えることができる。これらにより、ピーク負荷の時間帯に合わせて、負荷１０への供給電源を商用電源１と非常用発電機６とを相互に自動的に切り換えることのできる電源切換システムを構成することができる。
【００７９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８０】
【図１】本発明の第１の実施形態に係る電源切換システムの適用された電力系統を示すブロック図。
【図２】第１の実施形態に係る電源切換装置の商用電源の停電時における動作を示す流れ図。
【図３】第１の実施形態に係る電源切換装置のピーク負荷時における動作を示す流れ図。
【図４】第１の実施形態に係るＳＴＳ９の構成を示す回路図。
【図５】第１の実施形態に係るＳＴＳ９の切り換えを説明するためのタイムチャート。
【図６】第１の実施形態に係る電源切換システムにおける商用電源の１日の時間帯における電力負荷を説明するためのグラフ図。
【図７】第３の実施形態に係る電源切換システムの適用された電力系統を示すブロック図。
【符号の説明】
【００８１】
１…商用電源、２…受電変圧器、３…受電二次遮断器、４…母線連絡遮断器、５…非常用発電機遮断器、６…非常用発電機、７…フィーダ遮断器、８…非常用発電機遮断器、９…無瞬断切換装置（ＳＴＳ）、１０，１０Ａ…負荷、２０…電源切換装置、２１…制御部、２２…電力検出装置、２３…不足電圧リレー（２７）、２４,２４Ａ…同期検定装置（ＡＳＤ）、Ｂ１，Ｂ２…母線、ＣＴ１…変流器、ＦＥ１，ＦＥ２…フィーダ線、ＶＴ１，ＶＴ２…計測用変圧器。
【図１】
2008061351.tif 000003
【図２】
2008061351.tif 000004
【図３】
2008061351.tif 000005
【図４】
2008061351.tif 000006
【図５】
2008061351.tif 000007
【図６】
2008061351.tif 000008
【図７】
2008061351.tif 000009